(57)【要約】【課題】本発明は、個人情報を蓄積的に記録し、パーソナルコンピュータにより閲覧できる光メモリカードを提供する。【解決手段】厚み０.６ｍｍの矩形状基板と、この基板上に形成される記録再生可能な光ディスク情報記録層と、この光ディスク情報記録層を挟んで前記矩形状基板に接合された厚さ０．２ｍｍの矩形状補助基板とでなる積層構造カードで構成され、記録再生可能な光ディスク層の外径がカード幅サイズに相当する。【選択図】    図１
2006114155.tif 000002
【特許請求の範囲】
【請求項１】
厚み０.６ｍｍの矩形状基板と、この基板上に形成される記録再生可能な光ディスク情報記録層と、この光ディスク情報記録層を挟んで前記矩形状基板に接合された厚さ０.２ｍｍの矩形状補助基板とでなる積層構造カードで構成され、前記記録再生可能な光ディスク層の外径がカード幅サイズに相当することを特徴とする光メモリカード。
【請求項２】
前記積層構造カードの長手方向が約８５ｍｍであり、幅方向が６２ｍｍ以下であることを特徴とする請求項１記載の光メモリカード。
【請求項３】
前記積層構造カードにおいて前記矩形状補助基板と前記矩形状基板との接合面に不透明層を持ち、この不透明層には前記矩形状補助基板の最外側から眺めて文字が印字されていることを特徴とする請求項１または２記載の光カードメモリ。
【請求項４】
前記矩形状補助基板との接合面ではない側であり、レーザー光の入出力面となる前記矩形状基板の面に傷防止膜が施されていることを特徴とする請求項１乃至３のいずれか１に記載の光メモリカード。
【請求項５】
円形状の前記光ディスク情報記録層以外の前記積層構造カードの領域に記録層がないことを特徴とする請求項１乃至４のいずれか１に記載の光メモリカード。
【請求項６】
前記光ディスク情報記録層は厚さが数十ナノメータの単層または２０μｍないし４０μｍ毎に積み重ねられた最大４層の積層であることを特徴とする請求項１乃至５のいずれか１に記載の光メモリカード。
【請求項７】
記録のみ可能なリードオンリーメモリディスクを構成することを特徴とする請求項１乃至請求項６のいずれか１に記載の光メモリカード。
【請求項８】
前記記録層の一部だけがリードオンリ記録層となっており，他の部分は追記記録が可能な記録層となっていることを特徴とする請求項１乃至６のいずれか１に記載の光メモリカード。
【請求項９】
０.６ｍｍ厚の光ディスク基板と、この光ディスク基板上に形成される情報記録層と、この情報記録層を挟んで前記光ディスク基板に接合される０.２ｍｍ厚の補助基板とで成る記録再生ディスクにより構成され，この記録再生ディスクは長手方向が直径８５ｍｍの円盤状であり，横方向は中心にある直径１５ｍｍ孔を中心に対称的に前記円盤を平行線でカットした幅６２ｍｍ以下の寸法をもつことを特徴とする光メモリカード。
【請求項１０】
前記光ディスク情報記録層が有機色素系物質で形成されることを特徴とする請求項１乃至９のいずれか１に記載の光メモリカード。
【請求項１１】
前記光ディスク情報記録層が相変化系物質で形成されることを特徴とする請求項１乃至８のいずれか１に記載の光メモリカード。
【請求項１２】
前記光ディスク情報記録層が光磁気系物質で形成されることを特徴とする請求項１乃至８のいずれか１に記載の光メモリカード。
【請求項１３】
財布やカード入れに常時携帯できるように構成されたことを特徴とする請求項１乃至１３のいずれか１に記載の光メモリカード。
【請求項１４】
医療、健康、介護、保険、個人認証、クレジットカード、身分証明、健康保険証、銀行、貯金通帳、パスポート、運転免許証など個人が財布などカード入れに常に携帯できるように構成されることを特徴とする請求項１乃至１３のいずれか１に記載の光メモリカード。
【請求項１５】
前記記録層がない前記積層構造カードの領域に半導体チップが埋め込まれており、この半導体チップには前記積層構造カード内周に電磁波の授受が可能な導線が設置されていることを特徴とする請求項５に記載の光メモリカード。
【発明の詳細な説明】
【技術分野】
【０００１】
本発明は、例えば医療情報などの個人情報を蓄積的に記録し、必要に応じてその記録をパーソナルコンピュータにおいて閲覧できるように構成された光メモリカードに関する。
【背景技術】
【０００２】
患者が病院などで診察を受けたときの医療情報には診療情報，患者情報，病院情報のほかに，生命現象の解析など広範囲にわたる情報が含まれる。病院情報とは医事，検査，薬剤，給食などに関する情報である。
【０００３】
医療情報の代表的なものはカルテ情報であるが，従来のカルテでは１０年間の血圧値が診察ごとに記載されていても，多くの場合、医師は血圧値を表にしていることは少ないので，１０年間の血圧の経過を知ろうとしても簡単に知ることはできないし，グラフで見ることなどもできない。そのほかカルテに記載されている薬剤などを経時的に見ることも容易ではない。
【０００４】
一方，コンピュータは情報量の増大に対応する容易さ，検索の早さ，正確さなどの特徴をもつため，病院への導入が計られたが，患者個人のデータはその病院だけでは迅速に利用できても，他病院への転送はほとんど不可能で，データベースの互換性がないのが現状である。
【０００５】
このように病院にコンピュータが導入されてもデータベースが十分利用されていない点が医療における最大の欠点ともいえる。病院のデータベースには，指示された患者の血液を分析してデータが得られると，コンピュータの記憶装置に患者のＩＤ番号，患者氏名，性別，担当医師名、検査室名，検査技師名，ＧＯＴ値，ＧＰＴ値，ＬＤＨ値，コレステロール値，中性脂肪値，血糖値のような形で記録される。
【０００６】
病院のデータベースを見ると，医事のデータベース，検査のデータベースなどはその分野で利用でき，さらにその病院内であれば，例えば診療科の医師は検査のデータベースから自分の患者のデータを検索することができる。しかし現状ではデータベースの互換性がないからＡ病院の患者データをＢ病院に送ろうとしても不可能である。
【０００７】
医療データベースのもう一つの欠点は患者個人のデータベースができていないことである。これができていればそのファイルには患者氏名，登録番号，生年月日，性別，受診日ごとの検査，薬剤，レントゲン，その他病院で発生した全ての情報が記録されているので，氏名を指定すればその患者の初診以後の全ての情報を即座に知ることができる。ところが，このようなデータベースがないと検査は検査データベース，薬剤は薬剤データベースを検索しなくてはならないので手間がかかる。個人データベースはこのように便利で診療支援に高い効果をもつものであるが，現在，これを備えた病院は殆どない。
【０００８】
このような状況下において、個人情報を蓄積記録できる医療用携帯型記録媒体が例えば特許文献１により提供されている。この従来の医療用携帯型記録媒体はＤＶＤ−ＲＡＭ部分を携帯に適した矩形のカードにより構成される。この従来の矩形カードは適度な剛性と弾性を得るために単一或いは複数の合成樹脂の積層により形成されている。
【特許文献１】特開２００２−１７０２８５
【発明の開示】
【発明が解決しようとする課題】
【０００９】
従来の医療用携帯型記録媒体ＤＶＤ−ＲＡＭにしか適用できず、追加書き込みができない。また、媒体の縦横サイズが規定されており、大容量記録には十分ではない。更に携帯に便利なように財布のカード入れに入れることができるサイズであることが必要であるがこのようなサイズとなっていない。また更に、カードの厚みが０.６ｍｍ以上で２枚以上の強化プラスチックの積層構造となっている。このため、柔軟性に欠け、携行中にカードが破損することがある。
【課題を解決するための手段】
【００１０】
この発明は、厚み０.６ｍｍの矩形状基板と、この基板上に形成される記録再生可能な光ディスク情報記録層と、この光ディスク情報記録層を挟んで前記矩形状基板に接合された厚さ０.２ｍｍの矩形状補助基板とでなる積層構造カードで構成され、前記記録再生可能な光ディスク層の外径がカード幅サイズに相当することを特徴とする光メモリカードを提供する。
【発明の効果】
【００１１】
本発明を医療用携帯型記録媒体に適用すると、個人の診療情報，患者情報，病院情報のほかに，生命現象の解析など広範囲にわたる情報を数十年に渡り蓄積して携帯できるので、患者個人のデータが一病院だけでなく他の病院でも利用でき正確な診断が可能となる。
【発明を実施するための最良の形態】
【００１２】
以下、図面を参照して本発明の一実施形態に従った光メモリカードを説明する。
【００１３】
図１および図２は、本発明の一実施形態に係る光メモリカードは、例えば医療情報システムに用いられる追記型光メモリカード、例えばＣＤ−Ｒ光ディスク、ＤＶＤ±Ｒ光ディスクもしくはＤＶＤ±ＲＷ光ディスクにより構成される追記型光メモリカード１１を示している。この追記型光メモリカード１１は、厚み０.６ｍｍの矩形状基板１２と、この基板１２上に形成される記録再生可能な光ディスク情報記録層１３と、この光ディスク情報記録層１３を挟んで矩形状基板１２に接合された厚み０.２ｍｍの矩形状補助基板１４とでなる積層構造カード１５により構成される。この積層構造カード１５の中央には孔１７が形成されている。
【００１４】
更に、この積層構造カード１５の矩形状補助基板１４との接合面ではない側であり、レーザー光の入出力面となる矩形状基板１２の面に傷防止膜１６が施されている。基板１２および補助基板１４はポリカーボネートなどのプラスチックにより形成され、傷防止膜１６は厚さ１μｍ程度の薄い膜で形成される。情報記録層１３は厚さ１μｍ程度の薄い有機系膜または厚さ数十ナノメータの非有機系膜で成る情報記録層と金またはアルミニュームにより形成される厚さ０.１μｍ以下の反射膜により構成される。光ディスク情報記録層１３と矩形状基板１２とは厚さ１μ程度または数十ナノメータの接着剤により接続される。
【００１５】
積層構造カード１５のサイズは、財布などカード入れに入るように長さＬが約８５ｍｍ、幅が６２ｍｍ以下であることが好ましい。光ディスク情報記録層１３の外径はカード１５の幅Ｗに相当する。このカード１１の記録層１３の一部、例えば最内周部はリードオンリ記録層、即ちＲＯＭとして割り当てられ、残りの部分は追記型記憶領域となっている。記録層は厚さ１００ナノメータ前後のＲＯＭ層や厚さ数十ナノメータ前後のＲＡＭ層により構成できる。
【００１６】
本実施形態の光メモリカードにおいて、光ディスク情報記録層１３の直径を６１ｍｍにすると、約３００メガバイト（ＭＢ）の記憶容量が得られる。ところが、ＣＤとは異なり、ＤＶＤではディスクの最内径部にディスクの方式、即ちＤＶＤ−ＲＡＭ，ＤＶＤ−Ｒ，ＤＶＤ−ＲＷ，ＤＶＤ−ＲＯＭ、ＤＶＤ＋Ｒ，ＤＶＤ＋ＲＷの６種類、またはそれらの組み合わせを認識させる部分がかなりあり、最内周から数ｍｍまでの間はユーザが情報の記録に用いることができない領域である。このため、ユーザが記録できる容量を大きくするためには必然的に外径を大きくすると共に、必要であれば、記録層を２重から最大４重に重ねることが重要となる。図４には４重層の記録層１３が示されている。
【００１７】
現在の光ディスクヘッド光源は赤色の波長６５０ｎｍを中心とするもの、並びに紫青色の４０５ｎｍを中心とするもの、更には過去のＣＤ系にて使用されていた赤外の波長７８０ｎｍを中心とするものの三系統がある。しかしながら、紫青色の波長４０５ｎｍを中心とするもので光ディスクドライブの光ヘッドの対物レンズの開口数が０.６５程度のいわゆるＨＤ  ＤＶＤ相当の場合にもレンズのプラスチック基板内の焦点深度は約１μｍであるので、記録層が二重、三重、そして最大四重構造であっても、層間が約２０〜３０μｍあれば、各層に焦点を合わせることが容易にできる。これによって、幅５６ｍｍの場合に１５０ＭＢであったとすると、幅６１ｍｍでは２１６ＭＢが可能であり、紫青色の波長４０５ｎｍを中心とするもので、かつ対物レンズのＮＡを０.６５とすれば、５９５ＭＢが可能となる。これに対して、記録媒体を二重層で形成した場合に１ＧＢ以上の記録容量となる。三重の記録層では１.５ＧＢ、四重の記録層では２ＧＢの記憶容量が得られる。
【００１８】
現在の光ディスクドライブには光ディスクを固定して回転させる方式としてノートパーソナルコンピュータで採用されているバネ固定式と据え置き式パーソナルコンピュータの自動装着方式がある。特に後者の場合にディスク厚みが最低０.８ｍｍなければ動作しない。従って、既成の方式（ディスク厚みが０.６ｍｍ）では自動装着方式が使用できないという問題があった。しかし、本実施形態では、基板１２と補助基板１４との厚みの合計が０.８ｍｍとなるので自動装着方式のパーソナルコンピュータに使用できる。
【００１９】
上記のような追記型光メモリカード１１には、患者氏名，登録番号，生年月日，性別，受診日ごとの検査，薬剤，レントゲン，その他病院で発生した全ての情報が記録される。更に、患者のＩＤ番号，患者氏名，性別，担当医師名、検査室名，検査技師名，ＧＯＴ値，ＧＰＴ値，ＬＤＨ値，コレステロール値，中性脂肪値，血糖値のような情報が記憶される。
【００２０】
図３には、矩形状補助基板１２と矩形状基板１４との接合面に不透明層を持ち、この不透明層には矩形状補助基板１４の最外側から眺めて文字が印字されている光メモリカードが示されている。
【００２１】
図５は、０.６ｍｍ厚の光ディスク基板１２と、この光ディスク基板上に形成される情報記録層１３と、この情報記録層を挟んで光ディスク基板１２に接合される０．２ｍｍ厚の補助基板１４とで成る記録再生ディスク１５により構成され，この記録再生ディスク１５は長手方向が直径８５ｍｍの円盤状であり，横方向は中心にある直径１５ｍｍ孔１７を中心に対称的に前記円盤を平行線でカットした幅６２ｍｍ以下の寸法をもつ光メモリカードを示している。
【００２２】
図６は、記録層がない積層構造カード１５の周囲領域１９に半導体チップ１８が埋め込まれており、この半導体チップ１８には積層構造カード内周において電磁波の授受が可能な導線が記録層の外周に設置されている光メモリカードを示している。なお、半導体チップは記録層１３の内側領域２０に設けても良い。
【００２３】
図７は、本発明の光メモリカードをパーソナルコンピュータに装着する状態を示している。この図のように光メモリカードをパーソナルコンピュータのＤＶＤドライブに装填することによって光メモリカードに情報を書き込み、読み取ることができる。
【００２４】
上記の実施形態において、光メモリカードは記録のみ可能なリードオンリーメモリディスクとして構成してもよい。また、記録層の一部だけをリードオンリ記録層とし，他の部分を追記記録が可能な記録層としてもよい。
【００２５】
上記実施形態における光ディスク情報記録層を有機色素系物質または相変化系物質で形成しても良い。また、光ディスク情報記録層を光磁気系物質で形成しても良い。
【００２６】
上記実施形態では、本発明は、医療用携帯型記録媒体に適用されているが、本発明は、医療、健康、介護、保険、個人認証、クレジットカード、身分証明、健康保険証、銀行、貯金通帳、パスポート、運転免許証など個人が財布などカード入れに常に携帯できるカードに適用できる。
【図面の簡単な説明】
【００２７】
【図１】本発明の一実施形態に従った光メモリカードの平面図である。
【図２】図１の光メモリカードの側面図である。
【図３】他の実施形態であり、記録層以外に印字可能な不透明領域を設けた光メモリカードの平面図である。
【図４】４重層の記録層を示す図である。
【図５】他の実施形態に従った光メモリカードの平面図である。
【図６】他の実施形態であり、記録領域以外に半導体チップを埋め込んだ光メモリカードの平面図である。
【図７】本発明の光メモリカードを装填するパーソナルコンピュータの斜視図である。
【符号の説明】
【００２８】
１１…光メモリカード、１２…基板、１３…記録層、１４…補助基板、１５…積層構造カード、１６…傷防止膜、１７…中央孔、１８…半導体チップ
【図１】
2006114155.tif 000003
【図２】
2006114155.tif 000004
【図３】
2006114155.tif 000005
【図４】
2006114155.tif 000006
【図５】
2006114155.tif 000007
【図６】
2006114155.tif 000008
【図７】
2006114155.tif 000009